【手続補正書】
【提出日】平成17年4月4日(2005.4.4)
【手続補正１】
【補正対象書類名】明細書
【補正対象項目名】発明の名称
【補正方法】変更
【補正の内容】
【発明の名称】水晶発振器を搭載した電子機器
【手続補正２】
【補正対象書類名】明細書
【補正対象項目名】特許請求の範囲
【補正方法】変更
【補正の内容】
【特許請求の範囲】
【請求項１】
表示部と、第１水晶発振回路を備えた第１水晶発振器と第２水晶発振回路を備えた第２水晶発振器とを備えて構成される電子機器で、
第１水晶発振回路と第２水晶発振回路の各々は、増幅器と水晶振動子と抵抗とコンデンサーとを備えて構成され、第１水晶発振回路の水晶振動子の振動モードが第２水晶発振回路の水晶振動子の振動モードと異なっていて、第１水晶発振回路を構成する水晶振動子は、幅縦モードで振動する幅縦水晶振動子または厚みすべりモードで振動する厚みすべり水晶振動子で、第２水晶発振回路を構成する水晶振動子は、基本波モード振動と２次高調波モード振動を有し、かつ、逆相の屈曲モードで振動する音叉型屈曲水晶振動子であって、
第２水晶発振回路はＣＭＯＳインバータと帰還抵抗を備えた増幅回路と、前記音叉型屈曲水晶振動子とコンデンサーと抵抗を備えた帰還回路とを備えて構成され、前記音叉型屈曲水晶振動子は前記増幅回路のＣＭＯＳインバータと帰還抵抗に電気的に接続され、かつ、前記帰還回路のコンデンサーとドレイン抵抗に電気的に接続されていて、
前記音叉型屈曲水晶振動子の圧電定数ｅ１２の絶対値が０．０９５Ｃ／ｍ２から０．１８Ｃ／ｍ２の範囲内にあり、第１水晶発振器と第２水晶発振器の各々の出力信号が電子機器の動作用の信号であることを特徴とする水晶発振器を搭載した電子機器。
【請求項２】
請求項１において、第２水晶発振回路を構成する帰還回路の音叉型屈曲水晶振動子は、幅と厚みと長さとを有する音叉腕と音叉基部とを備えて構成され、逆相の屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕を備えて構成され、第１音叉腕と第２音叉腕の各々は上面とそれに対抗する下面と側面とを有し、かつ、上面と下面の各面の幅方向の任意の位置に各々１個の溝が設けられ、各々の溝幅Ｗ２は部分幅Ｗ１、Ｗ３と等しいか、又は部分幅Ｗ１、Ｗ３より大きくなるように形成され、第１音叉腕と第２音叉腕に設けられた各々１個の溝の内少なくとも１個の溝幅Ｗ２と音叉腕幅Ｗとの比（Ｗ２／Ｗ）が、０．３５から０．９５の範囲内にあり、かつ、溝の厚みｔ１と音叉腕の厚みｔとの比（ｔ１／ｔ）が、０．０１から０．７９の範囲内にあることを特徴とする水晶発振器を搭載した電子機器。
【請求項３】
請求項１または請求項２において、第２水晶発振回路を構成する帰還回路の音叉型屈曲水晶振動子は、第１音叉腕と第２音叉腕を有する音叉腕と音叉基部とを備えて構成され、逆相の屈曲モードで振動する音叉型屈曲水晶振動子で、第１音叉腕と第２音叉腕の一端部は音叉基部に接続され、他端部は自由である音叉型屈曲水晶振動子で、第１音叉腕と第２音叉腕の各々は上面とそれに対抗する下面と、第１側面とそれに対抗する第２側面とを有し、かつ、上面と下面の各面の幅方向の任意の位置に各々１個の溝が設けられ、その溝の長さは、その溝を有する音叉腕の長さに対して０．４から０．８の範囲内にあることを特徴とする水晶発振器を搭載した電子機器。
【手続補正３】
【補正対象書類名】明細書
【補正対象項目名】０００１
【補正方法】変更
【補正の内容】
【０００１】  本発明は少なくとも表示部と発振器を具えて構成される電子機器に関する。特に、クロック源あるいは基準信号源として最適な発振器で、少なくとも一個の水晶発振器を具えた電子機器に関する。


【手続補正４】
【補正対象書類名】明細書
【補正対象項目名】０００４
【補正方法】変更
【補正の内容】
【０００４】
【課題を解決するための手段】
本発明は、以下の方法で従来の課題を有利に解決した屈曲モードで振動する音叉形状の水晶振動子又は幅縦水晶振動子又は厚みすべり水晶振動子から成る水晶発振器を具えた電子機器を提供することを目的とするものである。


【手続補正５】
【補正対象書類名】明細書
【補正対象項目名】０００５
【補正方法】変更
【補正の内容】
【０００５】  即ち、本発明の水晶発振器を搭載した電子機器の第１の態様は、表示部と、第１水晶発振回路を備えた第１水晶発振器と第２水晶発振回路を備えた第２水晶発振器とを備えて構成される電子機器で、第１水晶発振回路と第２水晶発振回路の各々は、増幅器と水晶振動子と抵抗とコンデンサーとを備えて構成され、第１水晶発振回路の水晶振動子の振動モードが第２水晶発振回路の水晶振動子の振動モードと異なっていて、第１水晶発振回路を構成する水晶振動子は、幅縦モードで振動する幅縦水晶振動子または厚みすべりモードで振動する厚みすべり水晶振動子で、第２水晶発振回路を構成する水晶振動子は、基本波モード振動と２次高調波モード振動を有し、かつ、逆相の屈曲モードで振動する音叉型屈曲水晶振動子であって、第２水晶発振回路はＣＭＯＳインバータと帰還抵抗を備えた増幅回路と、前記音叉型屈曲水晶振動子とコンデンサーと抵抗を備えた帰還回路とを備えて構成され、前記音叉型屈曲水晶振動子は前記増幅回路のＣＭＯＳインバータと帰還抵抗に電気的に接続され、かつ、前記帰還回路のコンデンサーとドレイン抵抗に電気的に接続されていて、前記音叉型屈曲水晶振動子の圧電定数ｅ１２の絶対値が０．０９５Ｃ／ｍ２から０．１８Ｃ／ｍ２の範囲内にあり、第１水晶発振器と第２水晶発振器の各々の出力信号が電子機器の動作用の信号である水晶発振器を搭載した電子機器である。


【手続補正６】
【補正対象書類名】明細書
【補正対象項目名】０００６
【補正方法】変更
【補正の内容】
【０００６】  本発明の水晶発振器を搭載した電子機器の第２の態様は、第１の態様において、第２水晶発振回路を構成する帰還回路の音叉型屈曲水晶振動子は、幅と厚みと長さとを有する音叉腕と音叉基部とを備えて構成され、逆相の屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕を備えて構成され、第１音叉腕と第２音叉腕の各々は上面とそれに対抗する下面と側面とを有し、かつ、上面と下面の各面の幅方向の任意の位置に各々１個の溝が設けられ、各々の溝幅Ｗ２は部分幅Ｗ１、Ｗ３と等しいか、又は部分幅Ｗ１、Ｗ３より大きくなるように形成され、第１音叉腕と第２音叉腕に設けられた各々１個の溝の内少なくとも１個の溝幅Ｗ２と音叉腕幅Ｗとの比（Ｗ２／Ｗ）が、０．３５から０．９５の範囲内にあり、かつ、溝の厚みｔ１と音叉腕の厚みｔとの比（ｔ１／ｔ）が、０．０１から０．７９の範囲内にある水晶発振器を搭載した電子機器である。
本発明の水晶発振器を搭載した電子機器の第３の態様は、第１の態様または第２の態様において、第２水晶発振回路を構成する帰還回路の音叉型屈曲水晶振動子は、第１音叉腕と第２音叉腕を有する音叉腕と音叉基部とを備えて構成され、逆相の屈曲モードで振動する音叉型屈曲水晶振動子で、第１音叉腕と第２音叉腕の一端部は音叉基部に接続され、他端部は自由である音叉型屈曲水晶振動子で、第１音叉腕と第２音叉腕の各々は上面とそれに対抗する下面と、第１側面とそれに対抗する第２側面とを有し、かつ、上面と下面の各面の幅方向の任意の位置に各々１個の溝が設けられ、その溝の長さは、その溝を有する音叉腕の長さに対して０．４から０．８の範囲内にある水晶発振器を搭載した電子機器である。